(57)【要約】【課題】炎天下の野外に於いて日差しと高熱を避け、冷却効果を得ることの出来る簡便な冷却装置を供すること。【解決手段】液体を吸収し蒸発させることの出来る吸水体と液体を入れることの出来る容器とからなり、当該吸水体である縦糸と横糸が交差する布もしくは網等の布状体を、上下に縦糸が貫通し上部が狭まるように裁断し、平面方向において当該布状体の中央部の縦糸がほぼ放射状を形成するように縫製もしくは配置することで吸水体とし、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却装置を供する。【選択図】          図１
2004308979.tif 000002
【特許請求の範囲】
【請求項１】
液体を吸収し蒸発させることの出来る吸水体と液体を入れることの出来る容器とからなり、当該吸水体である縦糸と横糸が交差する布もしくは網等の布状体を、上下に縦糸が貫通し上部が狭まるように裁断し、平面方向において当該布状体の中央部の縦糸がほぼ放射状を形成するように縫製もしくは配置することで吸水体とし、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却装置。
【請求項２】
自動車の屋根に設置可能なレールと、液体を入れることのできる容器と、自動車を被うことのできる吸水体により構成され、前記レールを自動車の屋根の左右を結んで設置し、当該レール上での前記容器の移動と裁置もしくは容器のレール上への固定を可能にし、前記給水体の一端を前記容器内に配して吸水口とし、当該容器内部の液体を吸収させ、被冷却物の覆いとして配置した当該容器外部に配した前記吸水体より蒸発させて、気化熱の放出によって冷却効果を生じせさせる自動車用冷却装置。
【請求項３】
縦糸と横糸が交差する布もしくは網等の布状体を、上下に縦糸が貫通し上部が狭まるように裁断し、平面方向において当該布状体の中央部の縦糸がほぼ放射状を形成するように縫製し、当該縦糸の端部を吸水口とし、当該縫製された布状体の外周に沿って被冷却物への取り付け手段を設けた吸水体であって、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却用シート。
【発明の詳細な説明】
【０００１】
【発明の属する技術分野】
本発明は野外に於いて、液体が蒸発するときに気化熱を放出することを利用して冷却効果を得るための冷却装置である。
【０００２】
【従来の技術】
【特許文献】特願２００１−３２３０７７
本願発明は特願２００１−３２３０７７の改良発明であり、当該発明の不備を補うものである。当該発明では請求項２において「上記吸水体を筒状に配置した布状、あるいは網状を呈する吸水物とし、上部を束ねるように絞り込んで吸水口とし、下部を広げて覆いとする」とあり、この発明によれば吸水体は低いコストで製造できるものの、前記上部が絞り込んだことによってかなりかさばり、扱いづらいものとなる。
【０００３】
又、請求項３において「吸水体を中央から放射状に縦糸を配した布状体、あるいは網状体とした」とあり、当該布状体の製造方法が示されている。この布状体は冷却装置用の吸水体として大変優れた効果を発揮するものの、特殊な織り方をするためコストが高くなり、製品の普及に困難が予想される。製造が容易であり、経済的で扱いの簡便な野外用冷却装置が望まれる。
【０００４】
又、請求項９に「容器外側の底部にローラーを配してなる」冷却装置であって、自動車の屋根上をローラーを回転させて移動することが記載されている。容器の底部にローラーを配し、屋根上を移動させることは弱い力で容器を屋根に載せる上で有効であるが、利用者に屋根の塗装を傷つけるのではないかという不安感を抱かせる。弱い力でも容器を自動車の屋根に裁置可能で、塗装を傷つける心配のない裁置手段が望まれる。
【０００５】
【発明が解決しようとする課題】
特願２００１−３２３０７７に示された発明の不備を補い、野外に於いて日差しと高熱を避け、冷却効果を得ることの出来る簡単な構造による冷却装置を供すること。
【０００６】
【課題を解決するための手段】
液体を吸収し蒸発させることの出来る吸水体と液体を入れることの出来る容器とからなり、当該吸水体である縦糸と横糸が交差する布もしくは網等の布状体を、上下に縦糸が貫通し上部が狭まるように裁断し、平面方向において当該布状体の中央部の縦糸がほぼ放射状を形成するように縫製もしくは配置することで吸水体とし、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却装置を供する。
【０００７】
自動車の屋根に設置可能なレールと、液体を入れることのできる容器と、自動車を被うことのできる吸水体により構成され、前記レールを自動車の屋根の左右を結んで設置し、当該レール上での前記容器の移動と裁置もしくは容器のレール上への固定を可能にし、前記給水体の一端を前記容器内に配して吸水口とし、当該容器内部の液体を吸収させ、被冷却物の覆いとして配置した当該容器外部に配した前記吸水体より蒸発させて、気化熱の放出によって冷却効果を生じせさせる自動車用冷却装置を供する。
【０００８】
縦糸と横糸が交差する布もしくは網等の布状体を、上下に縦糸が貫通し上部が狭まるように裁断し、平面方向において当該布状体の中央部の縦糸がほぼ放射状を形成するように縫製し、当該縦糸の端部を吸水口とし、当該縫製された布状体の外周に沿って被冷却物への取り付け手段を設けた吸水体であって、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却用シートを供する。
【０００９】
【発明の実施の形態】
発明の実施の形態について図を用いて説明する。
図１は被冷却物を自動車とし、本発明を自動車カバーとして使用した実施例１の使用時の状態を示した斜視図である。容器１を自動車２の屋根に載せ、吸水体３を容器１から引き出し、吸水体固定具３１によって自動車２の下部に取り付ける。容器１の中に貯えられた水等の液体が毛細管現象によって吸水体３に吸収され、サイホン現象により吸水体３の全体に行き渡る。液体ここでは水が蒸発する際に気化熱を放出し、冷えた吸水体及び生じた冷気が吸水体３に覆われた被冷却物を冷却する。
【００１０】
図２は吸水体３を構成するための基本形である布状片４の構成を示す概念説明図である。縦糸５と横糸６が交差する布もしくは網等の布状体を、上下に縦糸５が貫通し、布状片上部４１が狭まり、布状片下部４２が拡がるように裁断する。布状片上部４１に縦糸５を下垂可能に設けて吸水口３２とする。図は説明をわかりやすくするため縦糸５と横糸６の数を極端に削減してあるが、布片４の全体が縦糸５と横糸６によって構成される極一般的な布の構成と同じである。
【００１１】
図３は吸水体３の斜視図である。布状片４を中央部が狭まり、縦糸５がほぼ中央に向かうように配置して縫製する。吸水体３のほぼ中央部まで到達した縦糸５は下垂して吸水口３２を形成する。吸水口３２は図１のように容器１の内部に固定もしくは可動的に設置され、容器１内部の液体に接するようにする。吸水口３２より毛細管現象によって縦糸５に吸収された液体は、サイフォン現象により縦糸５を通って布状片下部４２である吸水体３の外周部に向かって移動し、次いで、交差した横糸６に吸収され、蒸発する。縦糸５と横糸６の関係については図２と同様である。
【００１２】
図４は実施例２の斜視図である。上から見下ろした平面方向において布状片４の中央部の縦糸５がほぼ放射状を形成するように縫製もしくは配置することで吸水体とするための具体例として、図４のごとき上部が細く下部に拡がる筒状の吸水体、もしくは、被冷却物の形状に合わせて立体的に裁断縫製した、吸水体を有する冷却装置を提示したものである。
【００１３】
上部が細く下部に拡がる筒状体は上部を絞り込んで吸水口３２を中央に集中させるが、平面的に裁断し縫製したものに比べ、吸水口３２として使用する縦糸５の数が増え、液体が吸水体全体にまんべんなく浸透しやすくなる。また、立体である被冷却物の形状に沿った空間を形成しやすくなる。特願２００１−３２３０７７に示された発明では、筒状である吸水体の上部を絞り込むことによって吸水口がかさばってしまうのに対し、中央部の布のかさが減りすっきりとした形状にすることが出来る。
【００１４】
図５は実施例３の断面図であり、パイプ８によって液体７が補給できるようにした場合に於ける、容器１と吸水体３と吸水口３２とのそれぞれの関係を示したものである。容器１の外部に出された吸水体３は被冷却物の覆いとして拡げられ、中央部の縦糸５は容器１の内部に固定されるかあるいは可動的に設置される。容器１の内部には水位センサー７１が設けられ、当該水位センサー７１によって液体７の量が検知され、配線７２によってモーターと結ばれ、液体がパイプ８より液体７が補給されて、吸水体３の吸水口３２が常に液体７に接するように調節される。
【００１５】
図６は実施例４の斜視図であり、自動車の屋根に設置可能としたレール９に関するものである。レール９は取り付け具９１によって自動車の屋根に設置され、容器１には溝１２を設けるなどしてレール９上を滑動出来るようにする。レール９上を滑動させることで弱い力でも容器１を屋根に押し上げることが可能となる。又、レール９があることで自動車の屋根に直接容器１が触れることが無くなり、自動車を傷つける心配が無くなる。また、レール９と容器１のそれぞれに固定手段を設けることで、容器１を裁置したままに出来るようになる。
【００１６】
図７は実施例５における吸水体３の斜視図である。縦糸５と横糸６が交差する布もしくは網等の布状体を、上下に縦糸５が貫通し上部が狭まるように裁断して布状片４とし、当該布状片４の縦糸５がほぼ中心方向を向くように配置して縫製し吸水体３とする。前記上部の縦糸５を下垂させるか他の吸水体と結合させて吸水口３２とし、当該吸水体３の外周に沿って取り付け手段３３を設け、気化熱の放出によって冷却効果を生じせさせる冷却用シートとする。縦糸５と横糸６の関係については図３と同様である。
【００１７】
【発明の効果】
本発明は液体を吸収し蒸発させることの出来る吸水体と液体を入れることの出来る容器とからなり、当該吸水体である縦糸と横糸が交差する布もしくは網等の布状体を、上下に縦糸が貫通し上部が狭まるように裁断し、平面方向において当該布状体の中央部の縦糸がほぼ放射状を形成するように縫製もしくは配置することで吸水体とし、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却装置であるため次の効果を奏する。
【００１８】
電力や動力を得られない屋外で冷却効果が得られ、エネルギーの節約や環境汚染を防ぐことに貢献できる。また、単純な構造のため、製作費用が安くすみ、故障が生じにくく、確実な冷却効果を生じさせることが出来る。又、通常衣類に使用されている布と同様の布を使用でき、経済的である。
【００１９】
自動車の屋根に設置可能なレールと、液体を入れることのできる容器と、自動車を被うことのできる吸水体により構成され、前記レールを自動車の屋根の左右を結んで設置し、当該レール上での前記容器の移動と裁置もしくは容器のレール上への固定を可能にし、前記給水体の一端を前記容器内に配して吸水口とし、当該容器内部の液体を吸収させ、被冷却物の覆いとして配置した当該容器外部に配した前記吸水体より蒸発させて、気化熱の放出によって冷却効果を生じせさせる自動車用冷却装置であるため次の効果を奏する。
【００２０】
レール９上を滑動させることで弱い力でも容器１を屋根に押し上げることが可能となる。又、レール９があることで自動車の屋根に直接容器１が触れることが無くなり、自動車を傷つける不安をなくすことが出来る。
【００２１】
縦糸と横糸が交差する布もしくは網等の布状体を、上下に縦糸が貫通し上部が狭まるように裁断し、平面方向において当該布状体の中央部の縦糸がほぼ放射状を形成するように縫製し、当該縦糸の端部を吸水口とし、当該縫製された布状体の外周に沿って被冷却物への取り付け手段を設けた吸水体であって、前記上部の縦糸の端部を吸水口として容器内の液体を吸収させ、被冷却物の覆いとして配置した前記容器外部の吸水体から前記容器内の液体を蒸発させ、気化熱の放出によって冷却効果を生じせさせる冷却用シートであるため次の効果を奏する。
【００２２】容器を被冷却物の上に乗せるとともに水等の液体を入れ、上記布状体の吸水口を容器内の液体に浸け、下部を広げて被冷却物の覆いとすることにより、簡便な野外用冷却装置が作成できる。又、通常衣類に使用されている布と同様の布を使用でき、経済的である。
【図面の簡単な説明】
【図１】実施例１の斜視図である。
【図２】布状片４の構成を示す概念説明図である
【図３】吸水体３の斜視図である。
【図４】実施例２の斜視図である。
【図５】実施例３の断面図である。
【図６】実施例４の斜視図である。
【図７】実施例５の斜視図である。
【符号の説明】
１  容器
２  自動車
３  吸水体
３１  吸水体固定具
３２  吸水口
３３  取り付け手段
４  布状片
４１  布状片上部
４２  布状片下部
５  縦糸
６  横糸
７  液体
７１  水位センサー
７２  配線
８  パイプ
９  レール
９１  取り付け具
【図１】
2004308979.tif 000003
【図２】
2004308979.tif 000004
【図３】
2004308979.tif 000005
【図４】
2004308979.tif 000006
【図５】
2004308979.tif 000007
【図６】
2004308979.tif 000008
【図７】
2004308979.tif 000009